(57)【要約】【課題】ＱｏＳクラスを用いるネットワークにおける各サービスのトラヒックの運用状況を把握しやすくする。【解決手段】ネットワーク管理装置１０は、ネットワークの転送装置２およびサーバ装置３それぞれの扱うトラヒックの親子関係を示したトラヒック情報間関連情報１３１と、各サーバ装置３がセッション制御やデータ配信を行う際のエッジルータとなる転送装置２を示した収容関係情報１３３とを記憶する。そして、転送装置２からＱｏＳクラス別の使用帯域、サーバ装置３からサービス別の割り当て帯域を示すトラヒック情報を収集する。そして、これらの情報をもとに、各トラヒックの内訳とともに、各転送装置２のＱｏＳクラス別のトラヒックが、どのサービスに使用されているかを示したサービス利用状況情報を作成し、出力する。【選択図】図１
2011119916.tif 000002
【特許請求の範囲】
【請求項１】
端末装置間のセッション制御またはデータ配信を行うサーバ装置と、そのサーバ装置および前記端末装置へ、ＱｏＳクラスに基づくトラヒックの転送を行う転送装置とを備えるネットワークにおいて、前記ネットワークにおけるトラヒックの運用状況を管理するネットワーク管理装置であって、
前記サーバ装置におけるサービスそれぞれのトラヒック、および、前記転送装置におけるＱｏＳクラスそれぞれのトラヒックごとに、そのトラヒックと関連するトラヒックを集約した親トラヒックを示したトラヒック情報間関連情報と、
前記ネットワークにおける前記転送装置および前記サーバ装置の接続関係を示した接続関係情報と、
前記サーバ装置ごとに、このサーバ装置がセッション制御またはデータ配信を行う際、エッジルータとなる前記転送装置を示した収容関係情報とを記憶する記憶部と、
入出力部経由で、前記ネットワークの前記転送装置それぞれから、当該転送装置におけるＱｏＳクラスごとの使用帯域を示す転送装置のトラヒック情報と、前記サーバ装置それぞれから、当該サーバ装置に割り当てられている帯域を示すサーバ装置のトラヒック情報とを収集するトラヒック収集部と、
前記収集したトラヒック情報を記憶する記憶部と、
（１）前記接続関係情報を参照して、前記転送装置および前記サーバ装置の接続関係を示す情報と、（２）前記収容関係情報を参照して、前記サーバ装置と、このサーバ装置がセッション制御またはデータ配信を行う際のエッジルータとなる転送装置とを示す情報とを作成するとともに、（３）前記トラヒック情報間関連情報および前記トラヒック情報を参照して、前記エッジルータとなる転送装置におけるＱｏＳクラス別のトラヒックの使用帯域と、そのＱｏＳクラスのトラヒックに対し、当該トラヒックを親トラヒックとする前記サーバ装置のトラヒックの割り当て帯域とを関連付けて示した情報を作成し、出力するトラヒック出力部とを備えることを特徴とするネットワーク管理装置。
【請求項２】
端末装置間のセッション制御またはデータ配信を行うサーバ装置と、そのサーバ装置および前記端末装置へ、ＱｏＳクラスに基づくトラヒックの転送を行う転送装置とを備えるネットワークにおいて、前記サーバ装置におけるサービスそれぞれのトラヒック、および、前記転送装置におけるＱｏＳクラスそれぞれのトラヒックごとに、そのトラヒックと関連するトラヒックを集約した親トラヒックを示したトラヒック情報間関連情報と、前記ネットワークを構成する転送装置および前記サーバ装置の接続関係を示した接続関係情報と、前記サーバ装置ごとに、このサーバ装置がセッション制御またはデータ配信を行う際、エッジルータとなる前記転送装置を示した収容関係情報とを記憶する記憶部を備え前記ネットワークにおけるトラヒックの運用状況を管理するネットワーク管理装置が、
入出力部経由で、前記ネットワークの転送装置それぞれから、当該転送装置におけるＱｏＳクラスごとの使用帯域を示す転送装置のトラヒック情報と、前記サーバ装置それぞれから、当該サーバ装置に割り当てられている帯域を示すサーバ装置のトラヒック情報とを収集するステップと、
前記収集したトラヒック情報を記憶部に記憶するステップと、
前記接続関係情報を参照して、前記転送装置および前記サーバ装置の接続関係を示す情報を作成するステップと、
前記収容関係情報を参照して、前記サーバ装置と、このサーバ装置がセッション制御またはデータ配信を行う際のエッジルータとなる転送装置とを示す情報を作成するステップと、
前記トラヒック情報間関連情報およびトラヒック情報を参照して、前記エッジルータとなる転送装置におけるＱｏＳクラス別のトラヒックの使用帯域と、そのＱｏＳクラスのトラヒックに対し、当該トラヒックを親トラヒックとする前記サーバ装置のトラヒックの割り当て帯域とを関連付けて示した情報を作成し、前記転送装置および前記サーバ装置の接続関係を示す情報と、前記サーバ装置と、このサーバ装置がセッション制御またはデータ配信を行う際のエッジルータとなる転送装置とを示す情報とともに出力するステップとを実行することを特徴とするネットワーク管理方法。
【発明の詳細な説明】
【技術分野】
【０００１】
本発明は、ネットワークを構成するサーバ装置やルータから収集したトラヒック情報により、ネットワークの使用帯域等を管理する技術に関する。
【背景技術】
【０００２】
従来のネットワーク管理システムにおいて、サーバ装置等が提供するサービス別のトラヒック情報（割り当て帯域）や、転送装置（ルータ等）におけるＱｏＳ（Quality of Service）クラスごとのトラヒック情報（実際の使用帯域）を取得する技術がある（非特許文献１〜３）。
【先行技術文献】
【非特許文献】
【０００３】
【非特許文献１】新ATOMICS、[online]、[平成２１年１１月１９日検索]、インターネット、<URL:http://www.ntt-review.jp/yougo/word.php?word#id=3370>
【非特許文献２】MRTG、[online]、[平成２１年１１月１９日検索]、インターネット、<URL:http://www.mrtg.jp/doc/>
【非特許文献３】X-OSS、[online]、[平成２１年１１月１９日検索]、インターネット、<URL: http://www.ntt.co.jp/journal/0306/files/jn200306020.pdf>
【発明の概要】
【発明が解決しようとする課題】
【０００４】
しかし、各転送装置により転送されるトラヒックは、どのようなサービスに利用されるトラヒックであるか分からなかったため、例えば、所定の転送装置において、あるＱｏＳクラスの使用帯域が急増したときに、その使用帯域の増加は、どのサービスの使用帯域（割り当て帯域）が増加したことが原因か等を特定することができなかった。つまり、転送装置におけるＱｏＳクラス別の使用帯域に影響を与えているサービスを特定する等、ネットワークにおけるトラヒックの運用状況を把握することが困難であった。そこで、本発明は、前記した問題を解決し、ＱｏＳクラスを用いるネットワークにおける各サービスのトラヒックの運用状況を把握可能とすることを目的とする。
【課題を解決するための手段】
【０００５】
前記した課題を解決するため、請求項１に記載の発明は、端末装置間のセッション制御またはデータ配信を行うサーバ装置と、そのサーバ装置および端末装置へ、ＱｏＳクラスに基づくトラヒックの転送を行う転送装置とを備えるネットワークにおいて、ネットワークにおけるトラヒックの運用状況を管理するネットワーク管理装置であって、サーバ装置におけるサービスそれぞれのトラヒック、および、転送装置におけるＱｏＳクラスそれぞれのトラヒックごとに、そのトラヒックと関連するトラヒックを集約した親トラヒックを示したトラヒック情報間関連情報と、ネットワークにおける転送装置およびサーバ装置の接続関係を示した接続関係情報と、サーバ装置ごとに、このサーバ装置がセッション制御またはデータ配信を行う際、エッジルータとなる転送装置を示した収容関係情報とを記憶する記憶部と、入出力部経由で、ネットワークの転送装置それぞれから、当該転送装置におけるＱｏＳクラスごとの使用帯域を示す転送装置のトラヒック情報と、サーバ装置それぞれから、当該サーバ装置に割り当てられている帯域を示すサーバ装置のトラヒック情報とを収集するトラヒック収集部と、収集したトラヒック情報を記憶する記憶部と、（１）接続関係情報を参照して、転送装置およびサーバ装置の接続関係を示す情報と、（２）収容関係情報を参照して、サーバ装置と、このサーバ装置がセッション制御またはデータ配信を行う際のエッジルータとなる転送装置とを示す情報とを作成するとともに、（３）トラヒック情報間関連情報およびトラヒック情報を参照して、エッジルータとなる転送装置におけるＱｏＳクラス別のトラヒックの使用帯域と、そのＱｏＳクラスのトラヒックに対し、当該トラヒックを親トラヒックとするサーバ装置のトラヒックの割り当て帯域とを関連付けて示した情報を作成し、出力するトラヒック出力部とを備えることを特徴とするネットワーク管理装置とした。
【０００６】
請求項２に記載の発明は、端末装置間のセッション制御またはデータ配信を行うサーバ装置と、そのサーバ装置および前記端末装置へ、ＱｏＳクラスに基づくトラヒックの転送を行う転送装置とを備えるネットワークにおいて、サーバ装置におけるサービスそれぞれのトラヒック、および、転送装置におけるＱｏＳクラスそれぞれのトラヒックごとに、そのトラヒックと関連するトラヒックを集約した親トラヒックを示したトラヒック情報間関連情報と、ネットワークを構成する転送装置およびサーバ装置の接続関係を示した接続関係情報と、サーバ装置ごとに、このサーバ装置がセッション制御またはデータ配信を行う際、エッジルータとなる転送装置を示した収容関係情報とを記憶する記憶部を備えネットワークにおけるトラヒックの運用状況を管理するネットワーク管理装置が、入出力部経由で、ネットワークの転送装置それぞれから、当該転送装置におけるＱｏＳクラスごとの使用帯域を示す転送装置のトラヒック情報と、サーバ装置それぞれから、当該サーバ装置に割り当てられている帯域を示すサーバ装置のトラヒック情報とを収集するステップと、収集したトラヒック情報を記憶部に記憶するステップと、接続関係情報を参照して、転送装置およびサーバ装置の接続関係を示す情報を作成するステップと、収容関係情報を参照して、サーバ装置と、このサーバ装置がセッション制御またはデータ配信を行う際のエッジルータとなる転送装置とを示す情報を作成するステップと、トラヒック情報間関連情報およびトラヒック情報を参照して、エッジルータとなる転送装置におけるＱｏＳクラス別のトラヒックの使用帯域と、そのＱｏＳクラスのトラヒックに対し、当該トラヒックを親トラヒックとするサーバ装置のトラヒックの割り当て帯域とを関連付けて示した情報を作成し、転送装置およびサーバ装置の接続関係を示す情報と、サーバ装置と、このサーバ装置がセッション制御またはデータ配信を行う際のエッジルータとなる転送装置とを示す情報とともに出力するステップとを実行することを特徴とするネットワーク管理方法とした。
【０００７】
このようなネットワーク管理装置によれば、転送装置とサーバ装置とのトラヒックの関連付けが可能となり、ＱｏＳクラスを用いるネットワークにおける各サービスのトラヒックの運用状況を把握可能となる。
【発明の効果】
【０００８】
本発明によれば、転送装置とサーバ装置とのトラヒックの関連付けが可能となり、ＱｏＳクラスを用いるネットワークにおける各サービスのトラヒックの運用状況を把握可能となる。
【図面の簡単な説明】
【０００９】
【図１】本実施の形態のネットワーク管理装置の構成を例示した図である。
【図２】図１のトラヒック情報間関連情報、接続関係情報、収容関係情報およびトラヒック情報ＤＢを例示した図である。
【図３】図１のトラヒック出力部の出力するサービス利用状況情報を例示した図である。
【図４】図１のトラヒック出力部の処理手順を示した図である。
【発明を実施するための形態】
【００１０】
以下、本発明の実施の形態を説明する。まず、図１を用いて本実施の形態のネットワーク管理装置１０の構成を説明する。ネットワーク管理装置１０は、転送装置２から、この転送装置２におけるＱｏＳクラス別の使用帯域を示すトラヒック情報や、端末装置（図示省略）間のセッション制御を行うサーバ装置３（例えば、ＳＩＰ（Session Initiation Protocol）サーバ等）から、サービス別に割り当てられた帯域を示すトラヒック情報を収集する。そして、ネットワーク管理装置１０は、この収集したトラヒック情報と、各トラヒックの親子関係（内訳）を示すトラヒック情報間関連情報１３１（あるサービスに割り当てられた帯域は、実際には、どの装置のインタフェースのどのＱｏＳクラスの帯域を用いた帯域であるか等を示した情報）や、各サーバ装置３がセッション制御を行うトラヒックのエッジルータとなる転送装置２を示した収容関係情報１３３を参照して、転送装置２におけるＱｏＳクラス別の使用帯域の内訳を示した情報（サービス利用状況情報、図３参照）を作成する。なお、転送装置２は、例えば、ルータや、レイヤ２スイッチ等であり、ＱｏＳクラスに基づくパケットの転送を行う。また、サーバ装置３は、ＳＩＰサーバ以外に、映像配信サーバ、音声配信サーバ等、端末装置へデータ配信を行う装置であってもよい。
【００１１】
このようなネットワーク管理装置１０は、入出力部１１、記憶部１３および処理部１２を備えるコンピュータにより実現される。
【００１２】
入出力部１１は、入出力インタフェースやＩＰ（Internet Protocol）等により通信可能な通信インタフェースから構成される。また、記憶部１３は、ＲＡＭ（Random Access Memory）、ＲＯＭ（Read Only Memory）、ＨＤＤ（Hard Disk Drive）、フラッシュメモリ等の記憶媒体から構成される。なお、ネットワーク管理装置１０をプログラム実行処理により実現する場合、記憶部１３には、このネットワーク管理装置１０の機能を実現するためのプログラムが格納される。また、処理部１２は、このネットワーク管理装置１０が備えるＣＰＵ（Central Processing Unit）によるプログラム実行処理や、専用回路等により実現される。
【００１３】
まず、記憶部１３に記憶される各種情報を説明する。記憶部１３は、トラヒック情報間関連情報１３１と、接続関係情報１３２と、収容関係情報１３３とを記憶する。また、この記憶部１３は、トラヒック収集部１２１（後記）により収集されたトラヒック情報群であるトラヒック情報ＤＢ１３４を記憶する領域を備える。
【００１４】
トラヒック情報間関連情報１３１は、サーバ装置３におけるサービスそれぞれのトラヒック、および、転送装置２におけるＱｏＳクラスそれぞれのトラヒックごとに、そのトラヒックと関連するトラヒックを集約した親トラヒックを示した情報である。このトラヒック情報間関連情報１３１は、図２（ａ）に例示するように、トラヒックＩＤごとに、そのトラヒックＩＤのトラヒックの親トラヒックのトラヒックＩＤを示した情報である。例えば、図２（ａ）に示すトラヒック情報間関連情報１３１は、インタフェース１のＱｏＳクラスＡ，Ｂ，Ｃのトラヒック（使用帯域）の親トラヒックは、インタフェース１のトラヒックであることを示す。また、サービスＡ１，Ａ２の使用帯域（割り当て帯域）は、インタフェース１のＱｏＳクラスＡの使用帯域であることを示す。このトラヒック情報間関連情報１３１は、トラヒック出力部１２３が、サービス利用状況情報（図３参照）を作成する際に参照される。
【００１５】
接続関係情報１３２は、ネットワークを構成する転送装置２およびサーバ装置３がどのインタフェースにより接続されるかを示した情報である。この接続関係情報１３２は、図２（ｂ）に例示するように、転送装置２やサーバ装置３の装置ＩＤおよびその装置のインタフェースのインタフェースＩＤごとに、そのインタフェースにより接続される接続先の装置（転送装置２やサーバ装置３）の装置ＩＤと、その接続に用いられるインタフェースのインタフェースＩＤとを示した情報である。例えば、図２（ｂ）に示す接続関係情報１３２は、装置ＩＤ「２Ａ」の装置（転送装置２Ａ）は、インタフェースＩＤ「２」のインタフェースにより、装置ＩＤ「２Ｂ」の装置（転送装置２Ｂ）のインタフェースＩＤ「１」のインタフェースに接続されていることを示す。この接続関係情報１３２も、トラヒック出力部１２３が、サービス利用状況情報（図３参照）を作成する際に参照される。
【００１６】
収容関係情報１３３は、サーバ装置３ごとに、このサーバ装置３がセッション制御やデータ配信を行う際、エッジルータとなる転送装置２を示した情報である。つまり、サーバ装置３が収容する転送装置２を示した情報である。例えば、図２（ｃ）に示す収容関係情報１３３は、装置ＩＤ「３Ａ」の装置（サーバ装置３Ａ）がセッション制御やデータ配信を行う際のエッジルータとなる転送装置２は、装置ＩＤ「２Ａ」の装置（転送装置２Ａ）であることを示す。この収容関係情報１３３は、トラヒック出力部１２３が、サービス利用状況情報（図３参照）を作成する際に参照される。
【００１７】
トラヒック情報ＤＢ１３４は、トラヒック収集部１２１が収集したトラヒック情報群である。このトラヒック情報は、ネットワーク内の装置ＩＤごとに、その装置（転送装置２およびサーバ装置３）を経由するトラヒックのトラヒックＩＤと、そのトラヒックのトラヒック値（使用帯域）とを示した情報である。例えば、図２（ｄ）に示すトラヒック情報ＤＢ１３４は、装置ＩＤ「２Ａ」の装置（転送装置２Ａ）のインタフェース１の使用帯域は、「５００Ｍｂｐｓ」であることを示す。また、装置ＩＤ「２Ａ」の装置（転送装置２Ａ）のインタフェース１のＱｏＳクラスＡの使用帯域は、「１００Ｍｂｐｓ」であり、ＱｏＳクラスＢの使用帯域は「１５０Ｍｂｐｓ」であり、ＱｏＳクラスＣの使用帯域は「２５０Ｍｂｐｓ」であることを示す。また、装置ＩＤ「３Ａ」の装置（サーバ装置３Ａ）のサービスＡ１の使用帯域（割り当て帯域）は、「２５Ｍｂｐｓ」であり、サービスＡ２の使用帯域（割り当て帯域）は、「７５Ｍｂｐｓ」であることを示す。このトラヒック情報ＤＢ１３４は、トラヒック出力部１２３が、サービス利用状況情報（図３参照）における各インタフェースの使用帯域や使用帯域の内訳を作成する際に参照される。なお、このトラヒック情報ＤＢ１３４は、図２（ｄ）に示すように、各トラヒック情報を計測した（または収集した）日時に関する情報を含んでいてもよい。
【００１８】
次に、図１の処理部１２を説明する。この処理部１２は、ネットワーク管理装置１０全体の制御を司り、ここでは主に、転送装置２やサーバ装置３からネットワーク情報を収集し、サービス利用状況情報を作成する。このような処理部１２は、トラヒック収集部１２１と、トラヒック集計部１２２と、トラヒック出力部１２３とを備える。
【００１９】
トラヒック収集部１２１は、入出力部１１経由で、ネットワーク内の転送装置２（２Ａ，２Ｂ，２Ｃ）、サーバ装置３（３Ａ，３Ｂ，３Ｃ）から、各装置により測定されたネットワーク情報を収集する。そして、このネットワーク情報を、トラヒック情報ＤＢ１３４に蓄積する。このネットワーク情報は、前記したトラヒック情報ＤＢ１３４（図２（ｄ）参照）に示すように、その装置が転送装置２であれば、この転送装置２が当該トラヒックに使用している使用帯域およびＱｏＳクラスごとの使用帯域を示した情報である。この情報には、転送装置２が複数のインタフェースを持つのであれば、インタフェースごとに、当該インタフェースを使って転送されるトラヒックの使用帯域およびＱｏＳクラスごとの使用帯域が示される。また、その装置がサーバ装置３であれば、そのサーバ装置３が当該トラヒックにより提供するサービスごとに、そのサービスに割り当てられた帯域（使用帯域）が示される。
【００２０】
トラヒック集計部１２２は、トラヒック情報ＤＢ１３４に蓄積されたトラヒック情報のうち、所定期間のトラヒック情報を読み出し、トラヒック出力部１２３へ出力する。なお、どの期間のトラヒック情報を読み出すかは、入出力部１１経由で設定されるものとする。
【００２１】
トラヒック出力部１２３は、トラヒック集計部１２２により出力されたトラヒック情報と、記憶部１３に記憶されるトラヒック情報間関連情報１３１、接続関係情報１３２および収容関係情報１３３を参照して、サービス利用状況情報（図３参照）を作成する。このトラヒック出力部１２３による処理の詳細は、フローチャートを用いて後記する。
【００２２】
次に、適宜、図１〜３を参照しつつ、図４を用いて、トラヒック出力部１２３の処理の詳細を説明する。ここでは、既に、ネットワーク管理装置１０がトラヒック情報を収集し、収集したトラヒック情報をトラヒック情報ＤＢ１３４に蓄積しているものとする。
【００２３】
まず、図１のトラヒック出力部１２３は、接続関係情報１３２（図２（ｂ）を参照）を参照して、装置ＩＤごとに、その装置ＩＤに対応する装置と、接続先装置ＩＤに対応する装置との間を、例えば、実線でつないだ画像情報を作成する。また、装置の中にインタフェースを描く場合はインタフェース間を実線でつないだ画像情報を作成する（Ｓ１）。
【００２４】
例えば、トラヒック出力部１２３は、接続関係情報１３２を参照して、図３に例示するように、転送装置２（２Ａ〜２Ｅ）、サーバ装置３（３Ａ，３Ｂ）および端末装置４（４Ａ，４Ｂ）のうち、接続されている装置間を実線でつないだ画像情報を作成する。
【００２５】
次に、トラヒック出力部１２３は、収容関係情報１３３（図２（ｃ）参照）を参照して、サーバ装置３の装置ＩＤごとに、その装置ＩＤ（サーバ装置３）に対応する装置と、収容装置ＩＤ（転送装置２）に対応する装置との間を、例えば、破線でつないだ画像情報を作成する（図４のＳ２）。これにより、各装置間の接続関係を示した情報が作成される。
【００２６】
例えば、トラヒック出力部１２３は、収容関係情報１３３を参照して、図３に例示するように、サーバ装置３Ａと、このサーバ装置３Ａの収容装置である転送装置２Ａとを破線でつなぎ、サーバ装置３Ｂと、このサーバ装置３Ｂの収容装置である転送装置２Ｅとを破線でつなぐ。これにより、どのサーバ装置３がどの転送装置２をエッジルータとして用いるかを示した情報が作成される。
【００２７】
次に、トラヒック出力部１２３は、トラヒック集計部１２２から出力されたトラヒック情報に示される各トラヒックのトラヒックＩＤと、そのトラヒックのトラヒック値（使用帯域や割り当て帯域）とを、装置ＩＤごとに表示した画像情報を作成する（図４のＳ３）。また、このとき、トラヒックＩＤごとに、トラヒック情報間関連情報１３１（図２（ｃ）参照）を検索し、トラヒックＩＤに親トラヒックＩＤがある場合は、親トラヒックＩＤの内訳として表示する（Ｓ４）。
【００２８】
例えば、トラヒック出力部１２３は、トラヒック情報（図２（ｄ）参照）およびトラヒック情報間関連情報１３１（図２（ａ）参照）を参照して、吹き出し３０１，３０２，３０３，３０４に示すような情報を表示する。すなわち、トラヒック情報間関連情報１３１においてインタフェース１のＱｏＳクラスＡ，Ｂ，Ｃの使用帯域の親トラヒックＩＤは「インタフェース１の使用帯域」である。また、トラヒック情報から、インタフェース１のＱｏＳクラスＡ，Ｂ，Ｃの使用帯域はそれぞれ「１００Ｍｂｐｓ」、「１５０Ｍｂｐｓ」、「２５０Ｍｂｐｓ」である。また、これらのトラヒックの親トラヒックであるインタフェース１の使用帯域は「５００Ｍｂｐｓ」である。よって、これらの情報をもとにトラヒック出力部１２３は、吹き出し３０２に示すように、各装置のインタフェースごとの使用帯域について、そのＱｏＳクラスごとの使用帯域を「内訳」として表示した画像情報を作成する。また、サーバ装置３については、吹き出し３０１に示すように当該サーバ装置３が提供してるサービスごとの使用帯域（割り当て帯域）を表示した画像情報を作成する。
【００２９】
また、トラヒック出力部１２３は、サービス利用状況情報の表示の際、トラヒック情報間関連情報１３１における親トラヒックが、サーバ装置３の収容装置を流れるトラヒックの場合、装置間をまたいだ内訳として、別枠に表示する（図４のＳ５）。例えば、サーバ装置３ＡのサービスＡ１，Ａ２のトラヒックの親トラヒックは、転送装置２ＡのＱｏＳクラスＡのトラヒックである。よって、転送装置２ＡのＱｏＳクラスＡの使用帯域の内訳として、トラヒック情報に示される、サーバ装置３ＡのサービスＡ１の使用帯域（割り当て帯域）「２５Ｍｂｐｓ」と、サーバ装置３ＡのサービスＡ２の使用帯域「７５Ｍｂｐｓ」とを、吹き出し３０４のように関連付けて表示する。ネットワーク管理装置１０は、このようなサービス利用状況情報を作成し、出力することで、ネットワーク管理者は、ＱｏＳクラスごとのトラヒックについて、そのトラヒックがどのサービスに利用されているトラヒックかを把握しやすくなる。例えば、図３の転送装置２ＡのＱｏＳクラスＡの使用帯域が１００Ｍｂｐｓであり、この転送装置２ＡのＱｏＳクラスＡのトラヒックの子トラヒックがサーバ装置３ＡのサービスＡ１，Ａ２のトラヒックであるとき、このＱｏＳクラスＡの使用帯域を小さくするためには、サーバ装置３ＡのサービスＡ２の使用帯域（割り当て帯域）を小さくすればよい等の判断がしやすくなる。
【符号の説明】
【００３０】
２      転送装置
３      サーバ装置
４      端末装置
１０    ネットワーク管理装置
１１    入出力部
１２    処理部
１３    記憶部
１２１  トラヒック収集部
１２２  トラヒック集計部
１２３  トラヒック出力部
１３１  トラヒック情報間関連情報
１３２  接続関係情報
１３３  収容関係情報
１３４  トラヒック情報ＤＢ
【図１】
2011119916.tif 000003
【図２】
2011119916.tif 000004
【図３】
2011119916.tif 000005
【図４】
2011119916.tif 000006